(57)【要約】【課題】  汎用的なインタフェースを用いて容易に検査等を行うことができる自動検査システムを提供する。【解決手段】  ＰＣ２は、特定識別情報を含む制御コマンドをマイコン１３向けとし、特定識別情報を含まない制御コマンドをシンセ装置２０向けとしてＵＳＢコマンドを出力し、ＵＳＢ−シリアル変換治具４がシリアル信号に変換して恒温槽１内の治具基板１０に出力すると、マイコン１３は特定識別情報を含む制御コマンドに基づき、シンセ装置２０の選択・電源供給、その他検査のための動作を行わせ、定識別情報を含まない制御コマンドは３ステートバッファ１４を介してシンセ装置２０に出力させ、制御結果のデータと検査結果のデータを負論理和回路１１からＵＳＢ−シリアル変換治具４に出力自動検査システムである。【選択図】        図２
2010261899.tif 000002
【特許請求の範囲】
【請求項１】
複数の検査対象装置と、当該検査対象装置に各々接続し、シリアル信号の入出力と制御コマンドの出力を行うバッファと、前記検査対象装置に電源電圧を供給する電源電圧供給手段と、前記バッファ、前記電源電圧供給手段に対して制御コマンドを出力して制御を行い、制御結果のデータを入力して出力する制御手段と、前記制御手段からの制御結果のデータと前記検査対象装置からの検査結果のデータをシリアル信号として入力し、外部へ一のシリアル信号として出力する統合手段とを備え、外部からのシリアル信号が分岐されて前記制御手段と前記バッファに出力される治具基板と、
前記検査対象装置と前記制御手段に制御コマンドをシリアル信号で出力すると共に、前記制御結果のデータ及び前記検査結果のデータをシリアル信号で入力する制御装置とを有することを特徴とする自動検査システム。
【請求項２】
制御手段において、変換治具に対するシリアル信号の入出力インタフェースを調歩同期式シリアルインタフェースとしたことを特徴とする請求項１記載の自動検査システム。
【請求項３】
制御手段向けの制御コマンドには、特定の識別情報を付与し、検査対象装置向けの制御コマンドには、前記特定の識別情報を付与せず、
前記制御手段が、入力された制御コマンドについて前記特定の識別情報の有無を判定し、前記特定の識別情報が有る場合に、当該制御コマンドに基づく制御を行うことを特徴とする請求項１又は２記載の自動検査システム。
【請求項４】
制御手段向けの制御コマンドとして、特定の検査対象装置に電源電圧を供給する制御コマンドと当該検査対象装置を選択する制御コマンドが前記制御手段に入力されると、前記制御手段が、電源電圧供給手段を制御して前記検査対象装置に電源電圧を供給し、前記選択された検査対象装置に接続するバッファを選択すると共に、入出力選択手段を制御して前記選択された検査対象装置の入出力を選択することを特徴とする請求項１乃至３の何れか記載の自動検査システム。
【請求項５】
制御手段向けの制御コマンドとして、特定の検査対象装置のシリアルインタフェースをエミュレーションさせる制御コマンドが前記制御手段に入力されると、前記制御手段が、前記特定の検査対象装置に接続するバッファにエミュレーション指示を出力し、前記バッファが、前記特定の検査対象装置に対しエミュレーション指示を出力し、前記検査対象装置に対する動作設定を行うことを特徴とする請求項４記載の自動検査システム。
【請求項６】
治具基板が、恒温槽内部に設けられ、制御装置が恒温槽の温度制御を行うことを特徴とする請求項１乃至５のいずれか記載の自動検査システム。
【発明の詳細な説明】
【技術分野】
【０００１】
本発明は、通信機で使用されるシンセサイザ等を検査する自動検査システムに係り、特に、汎用的なインタフェースを用いて容易に検証等を行うことができる自動検査システムに関する。
【背景技術】
【０００２】
［従来の技術］
通信機で使用されるシンセサイザを複数まとめて一台のコンピュータで調整、測定、検査を行うシステムでは、複数系統の通信ポートを有し、アドレス制御を行うことができる高級な通信インタフェースを備える必要があった。
【０００３】
［関連技術］
尚、関連する先行技術として、特開平１１−０８３９２３号公報「電子機器検査装置」（出願人：新栄電子計測器株式会社［特許文献１］）、特開２００８−１３６１３７号公報「検査装置」（出願人：横河電気株式会社「特許文献２」）がある。
【０００４】
特許文献１には、検査装置において、計測器本体にＰＩＯ接続されたパソコンとを有し、検査対象の電子機器の特性を検査する複数の計測器と、電子機器への出力チャンネル、入力チャンネルと、計測器を入出力チャンネルに接続する選択手段とを備え、パソコンが設定された検査の手順に従って制御することが示されている。
【０００５】
特許文献２には、試験装置において、被試験対象に接続されるＣＰＵが個別に実装された複数の回路基板と、複数の回路基板を収容した試験用ユニットと、試験用ユニットに設けられた外部端子に対して、複数の回路基板にそれぞれ実装された複数のＣＰＵの一つを選択的に接続させる接続手段とを備えることが記載されている。
【先行技術文献】
【特許文献】
【０００６】
【特許文献１】特開平１１−０８３９２３号公報
【特許文献２】特開２００８−１３６１３７号公報
【発明の概要】
【発明が解決しようとする課題】
【０００７】
しかしながら、上記従来の検査システムでは、検査用として高級な通信インタフェースを用いて複雑なアドレス制御を行う必要があり、安価な構成で、容易に検査等を行うことができないという問題点があった。
【０００８】
本発明は上記実情に鑑みて為されたもので、汎用的なインタフェースを用いて容易に検査等を行うことができる自動検査システムを提供することを目的とする。
【課題を解決するための手段】
【０００９】
上記従来例の問題点を解決するための本発明は、自動検査システムにおいて、複数の検査対象装置と、当該検査対象装置に各々接続し、シリアル信号の入出力と制御コマンドの出力を行うバッファと、検査対象装置に電源電圧を供給する電源電圧供給手段と、バッファ、電源電圧供給手段に対して制御コマンドを出力して制御を行い、制御結果のデータを入力して出力する制御手段と、制御手段からの制御結果のデータと検査対象装置からの検査結果のデータをシリアル信号として入力し、外部へ一のシリアル信号として出力する統合手段とを備え、外部からのシリアル信号が分岐されて制御手段とバッファに出力される治具基板と、検査対象装置と制御手段に制御コマンドをシリアル信号で出力すると共に、制御結果のデータ及び検査結果のデータをシリアル信号で入力する制御装置とを有することを特徴とする。
【００１０】
本発明は、上記自動検査システムにおける制御手段において、変換治具に対するシリアル信号の入出力インタフェースを調歩同期式シリアルインタフェースとしたことを特徴とする。
【００１１】
本発明は、上記自動検査システムにおいて、制御手段向けの制御コマンドには、特定の識別情報を付与し、検査対象装置向けの制御コマンドには、特定の識別情報を付与せず、制御手段が、入力された制御コマンドについて特定の識別情報の有無を判定し、特定の識別情報が有る場合に、当該制御コマンドに基づく制御を行うことを特徴とする。
【００１２】
本発明は、上記自動検査システムにおいて、制御手段が、入力された制御コマンドに特定の識別情報が有る場合に、分岐してバッファに入力された制御コマンドを無効にする指示をバッファに出力することを特徴とする。
【００１３】
本発明は、上記自動検査システムにおいて、制御手段向けの制御コマンドとして、特定の検査対象装置に電源電圧を供給する制御コマンドと当該検査対象装置を選択する制御コマンドが制御手段に入力されると、制御手段が、電源電圧供給手段を制御して検査対象装置に電源電圧を供給し、選択された検査対象装置に接続するバッファを選択すると共に、入出力選択手段を制御して選択された検査対象装置の入出力を選択することを特徴とする。
【００１４】
本発明は、上記自動検査システムにおいて、制御手段向けの制御コマンドとして、特定の検査対象装置のシリアルインタフェースをエミュレーションさせる制御コマンドが制御手段に入力されると、制御手段が、特定の検査対象装置に接続するバッファにエミュレーション指示を出力し、バッファが、特定の検査対象装置に対しエミュレーション指示を出力し、検査対象装置に対する動作設定を行うことを特徴とする。
【発明の効果】
【００１５】
本発明によれば、治具基板が、複数の検査対象装置と、当該検査対象装置に各々接続し、シリアル信号の入出力と制御コマンドの出力を行うバッファと、検査対象装置に電源電圧を供給する電源電圧供給手段と、バッファ、電源電圧供給手段、入出力選択手段に対して制御コマンドを出力して制御を行い、制御結果のデータを入力して出力する制御手段と、制御手段からの制御結果のデータと検査対象装置からの検査結果のデータをシリアル信号として入力し、外部へ一のシリアル信号として出力する統合手段とを備えて、外部からのシリアル信号が分岐されて制御手段とバッファに出力されるものであり、制御装置が、検査対象装置と制御手段に制御コマンドをシリアル信号で出力すると共に、制御結果のデータ及び検査結果のデータをシリアル信号で入力する自動検査システムとしているので、汎用的なインタフェースを用いて容易に検査等を行うことができる効果がある。
【図面の簡単な説明】
【００１６】
【図１】本発明の実施の形態に係る自動検査システムの構成ブロック図である。
【図２】治具基板の構成図である。
【図３】調歩同期式通信のデータフォーマットの概略図である。
【図４】シリアルインタフェースタイミング規定図である。
【発明を実施するための最良の形態】
【００１７】
本発明の実施の形態について図面を参照しながら説明する。
［実施の形態の概要］
本発明の実施の形態に係る自動検査システム（本システム）は、一台のコンピュータで複数台のシンセサイザを切替制御しながら、調整、測定、検査を行うものであり、汎用組み込みマイコンでは必ずと言ってよいほど備えられている調歩同期式シリアルインタフェース１ポートだけで制御可能とし、調歩同期式シリアルインタフェースのデータを論理和するハード構成と、コマンド体系を制御対象毎に明示的に分け、制御対象側は自分に対するコマンドに対してだけしか応答データを返さないようにするソフト構成により実現したものであり、汎用的なインタフェースを用いて容易に検査等を行うことができる。
【００１８】
［自動検査システムの概略図：図１］
本発明の実施の形態に係る自動検査システムについて図１を参照しながら説明する。図１は、本発明の実施の形態に係る自動検査システムの構成ブロック図である。
本発明の実施の形態に係る自動検査システム（本システム）は、図１に示すように、恒温槽１と、パーソナルコンピュータ（ＰＣ）２と、ＵＳＢハブ（Ｈｕｂ）３と、ＵＳＢ−シリアル変換治具４と、電源５と、ＵＳＢ−ＧＰＩＢインタフェース（Ｉ／Ｆ）６と、信号発生回路（ＳＧ：Signal Generator）７と、スペアナ８とを基本的に有している。
【００１９】
［自動検査システムの各部］
本システムの各部について具体的に説明する。
恒温槽１は、検査対象の複数のシンセ装置に接続する治具基板を備える。治具基板についての詳細は後述する。
【００２０】
［ＰＣ２］
パーソナルコンピュータ（ＰＣ）２は、ＵＳＢ（Universal Serial Bus）ポートを備え、当該ポートがＵＳＢハブ３に接続する。
ＰＣ２は、ＵＳＢハブ３、ＵＳＢ−シリアル変換治具４を介して恒温槽１内の治具基板に接続し、治具基板内のマイコン又はシンセ装置に対して検査等に関するＵＳＢコマンドを送信し、治具基板からは検査等に関するデータを受信する。
また、ＰＣ２は、ＵＳＢハブ３、ＵＳＢ−ＧＰＩＢ  Ｉ／Ｆ６を介して恒温槽１内部の温度が一定となるよう制御している。
【００２１】
ここで、治具基板に供給されるコマンドについて説明する。
コマンドには、特定の識別情報を有しないコマンドと特定の識別情報を有するコマンドがある。例えば、＠無しのコマンドと＠有りのコマンドがある。
＠無しのコマンドは、検査対象のシンセ装置へのスルーコマンドであり、＠有りのコマンドは、治具基板内マイコンへの制御コマンドとなる。
【００２２】
例えば、「＠ＰＯＮ」は、治具基板回路内でシンセ装置への電源供給を制御するコマンドであり、「＠ＳＥＬ」は、ＲＦ，ＩＦスイッチ切替コマンドであり、「＠ＯＵＴＳＥＬ」は、同軸ケーブルへの出力切替コマンドであり、「＠ＳＥＲＦＲＱ」は、３線シリアルインタフェースエミュレーション出力制御コマンドであり、「＠ＡＬＭ」は、シンセ装置のアラーム出力状態モニタコマンドであり、「＠ＳＲＥＳＥＴ」は、シンセ装置に対するＰＬＬリセット出力制御コマンドである。
【００２３】
［ＵＳＢハブ３］
ＵＳＢハブ（Ｈｕｂ）３は、ＰＣ２からのＵＳＢデータをＵＳＢ−シリアル変換治具４に出力すると共に、ＵＳＢ−シリアル変換治具４からＵＳＢデータを受信してＰＣ２に出力する。
ＵＳＢハブ３は、ＳＧ７に外部リファレンス信号出力指示信号を出力する。
【００２４】
［ＵＳＢ−シリアル変換治具４］
ＵＳＢ−シリアル変換治具４は、ＵＳＢハブ３からのＵＳＢコマンドをシリアルコマンドに変換して恒温槽１内に設置した治具基板に出力し、治具基板からのシリアルデータをＵＳＢデータに変換してＵＳＢハブ３に出力する。
つまり、ＰＣ２からはＣＯＭポートとして制御する。
【００２５】
ＵＳＢ−シリアル変換治具４は、ＤＣ／ＤＣコンバータを備え、スイッチング電源５から供給される直流電圧を別の直流電圧に変換して治具基板に供給する。例えば、＋１２Ｖの直流電圧を＋６Ｖ、１Ａ程度の直流電圧に変換する。
【００２６】
［電源５］
電源５は、入力電力から希望の出力電力を得るための電源装置であり、例えば、＋１２Ｖの電圧をＵＳＢ−シリアル変換治具４に供給する。
【００２７】
［ＵＳＢ−ＧＰＩＢ  Ｉ／Ｆ６］
ＵＳＢ−ＧＰＩＢ（General Purpose Interface Bus）インタフェース（Ｉ／Ｆ）６は、ＵＳＢハブ３とＧＰＩＢ測定器のスペアナ８とを接続するインタフェースであり、ＰＣ２からのＵＳＢコマンドをＧＰＩＢのコマンドに変換してスペアナ８に出力し、スペアナ８からのＧＰＩＢのコマンドをＵＳＢコマンドに変換してＵＳＢハブ３に出力する。
また、ＵＳＢ−ＧＰＩＢ  Ｉ／Ｆ６は、ＰＣ２からの恒温槽温度制御のＵＳＢコマンドをＧＰＩＢのコマンドに変換して恒温槽１に出力し、恒温槽１からの恒温槽温度制御のＧＰＩＢのデータをＵＳＢデータに変換してＵＳＢハブ３に出力する。
【００２８】
［ＳＧ７］
信号発生回路（ＳＧ：Signal Generator）７は、ＵＳＢハブ３からの指示信号により、例えば、１９．２ＭＨｚの外部リファレンス信号（外部基準信号）を治具基板に供給する。
【００２９】
［スペアナ８］
スペアナ（Spectrum analyzer）８は、横軸が周波数、縦軸が電力として信号の周波数特性を計測する電気計測器であり、恒温槽１内の治具基板のシンセ装置から出力される信号の周波数特性を計測し、ＧＰＩＢインタフェースを介してコマンドに対応する応答やデータをＵＳＢ−ＧＰＩＢ  Ｉ／Ｆ６に出力する。
【００３０】
［治具基板：図２］
次に、本システムにおける恒温槽１内の治具基板１０について図２を参照しながら説明する。図２は、治具基板の構成図である。
治具基板１０は、図２に示すように、負論理和回路１１と、マイコン１３と、３ステートバッファ１４と、ＬＤＯ（Low Drop Out）１５と、ＭＯＳ（Metal Oxide Semiconductor）スイッチ１６と、ＲＦ（Radio Frequency）スイッチ１７と、検査対象シンセ装置２０とを備えている。
尚、シンセ装置２０は複数個（最大１６台）設けられ、その数に対応して３ステートバッファ１４とＭＯＳスイッチ１６も複数設けられている。
【００３１】
［治具基板の各部］
次に、治具基板１０の各部について説明する。
［負論理和回路１１］
負論理和回路１１は、一方に３ステートバッファ１４からの信号を入力し、他方にマイコン１３からの信号を入力し、両者の負論理和をシリアル通信でＵＳＢ−シリアル変換治具４に出力する。この出力信号が検査等に関するシリアルデータとなる。
【００３２】
［マイコン１３］
マイコン１３は、ＵＳＢ−シリアル変換治具４からシリアル通信で制御コマンドについて特定の識別情報を有するか否かを判定し、特定の識別情報を有するコマンド（＠有りのコマンド）を有効として入力して、３ステートバッファ１４を介してシンセ装置２０に出力し、また、ＭＯＳスイッチ１６及びＲＦスイッチ１７に制御コマンドを出力する。
更に、マイコン１３は、制御コマンドに対する応答コマンド（制御結果のデータ）を入力し、負論理和回路１１に出力する。
【００３３】
更に、＠有りのコマンドは同時に３ステートバッファ１４にも入力されるため、マイコン１３は、＠有りのコマンド入力により、３ステートバッファ１４に対してＵＳＢ−シリアル変換治具４から３ステートバッファ１４に入力されたコマンドを無効化する指示を出力する。当該コマンドはマイコン用であってシンセ装置用ではないためである。これにより、マイコン用のコマンドがシンセ装置２０に入力されるのを防止している。
【００３４】
また、マイコン１３は、特定の識別情報を有しないコマンド（＠無しのコマンド）を無効とし、そのコマンドによっては動作しないようになっており、エコーバックも返さない仕様とする。
つまり、＠有りのコマンドは、マイコン向けに有効であってシンセ装置向けに無効であり、＠無しのコマンドは、シンセ装置向けに有効であってマイコン向けに無効である。
具体的な制御コマンドについては後述する。
【００３５】
［３ステートバッファ１４］
３ステートバッファ１４は、ＵＳＢ−シリアル変換治具４からの制御コマンドとマイコン１３からの制御コマンドが入力され、対応するシンセ装置２０に制御コマンドを出力すると共に、シンセ装置２０からのデータをマイコン１３と負論理和回路１１に出力する。
つまり、ＵＳＢ−シリアル変換治具４からの信号線、マイコン１３からの信号線が分岐されて各３ステートバッファ１４に入力され、全ての３ステートバッファ１４の出力がワイヤードＯＲされて負論理和回路１１の一方の端子に入力されるようになっている。
また、３ステートバッファ１４は、マイコン１３からの「＠ＳＥＬ」の制御コマンドによって選択される。
【００３６】
［ＬＤＯ１５］
ＬＤＯ１５は、低ドロップアウト電圧レギュレータであり、ＵＳＢ−シリアル変換治具４から供給された＋６Ｖの電圧を５．５Ｖに変換し、ＭＯＳスイッチ１６を介してシンセ装置２０に供給する。
【００３７】
［ＭＯＳスイッチ１６］
ＭＯＳスイッチ１６は、マイコン１３からの電源制御コマンドによりＬＤＯ１５からの低電圧を対象のシンセ装置２０に供給する。
【００３８】
［ＲＦスイッチ１７］
ＲＦスイッチ１７は、マイコン１３からのシンセ装置２０の選択制御コマンドにより特定のシンセ装置２０接続経路を選択し、ＳＧ７からの外部レファレンス信号（ＥＸＴ＿ＲＥＦ）を対象のシンセ装置２０に供給し、シンセ装置２０からの信号（ＩＦ＿ＯＵＴ，ＲＦ＿ＯＵＴ）を、同軸ケーブルを介してスペアナ８に出力する。
【００３９】
［シンセ装置２０］
シンセ装置２０は、検査対象のシンセ装置であって、マイコンを搭載し、３ステートバッファ１４と１対１でシリアル通信し、検査等に関する問い合わせに対して応答信号を３ステートバッファ１４に出力する。
また、シンセ装置２０は、アラーム出力状態モニタコマンドが入力されると、ポートに入力状態を返信する。ポートの入力状態に異常があれば、アラーム出力信号となる。
また、シンセ装置２０は、マイコン１３が出力する３線シリアルインタフェースエミュレーション出力を３ステートバッファ１４経由で受信し、その情報により出力周波数設定を行う。
また、シンセ装置２０は、ＰＬＬリセット出力制御コマンドが入力されると、装置内のＰＬＬをリセットする。
【００４０】
［制御コマンド］
具体的な制御コマンドによる制御について説明する。
制御コマンド「＠ＰＯＮ」は、マイコン１３からＭＯＳスイッチ１６に出力され、ＭＯＳスイッチ１６をオンにしてＬＤＯ１５が提供する低電圧を対象のシンセ装置２０に供給する。
制御コマンド「＠ＳＥＬ」は、マイコン１３から３ステートバッファ１４とＲＦスイッチ１７に出力され、検査対象シンセ装置２０が接続する１系統だけの３ステートバッファ１４を選択し、対象のシンセ装置２０の入出力をＲＦスイッチ１７で経路選択する。当該制御コマンドで、シンセ装置２０からのＩＦ出力信号（ＩＦ＿ＯＵＴ）又はＲＦ出力（ＲＦ＿ＯＵＴ）の経路を選択する。
【００４１】
制御コマンド「＠ＯＵＴＳＥＬ」は、マイコン１３からＲＦスイッチ１７に出力され、ＩＦ出力信号（ＩＦ＿ＯＵＴ）又はＲＦ出力（ＲＦ＿ＯＵＴ）のいずれかを選択して同軸ケーブルに出力する。
制御コマンド「＠ＳＥＲＦＲＱ」は、マイコン１３からシンセ装置２０に出力される。３線シリアルインタフェースをエミュレーションするコマンドで、検査対象シンセ装置２０に対する出力周波数設定を行う。
【００４２】
制御コマンド「＠ＡＬＭ」は、３ステートバッファ１４からシンセ装置に出力され、検査対象シンセ装置２０のアラーム出力状態をモニタするコマンドである。
制御コマンド「＠ＳＲＥＳＥＴ」は、マイコン１３からシンセ装置２０に出力され、シンセ装置に対するリセットを行わせる制御コマンドである。
【００４３】
［調歩同期式通信のデータフォーマット：図３］
次に、調歩同期式通信のデータフォーマットについて図３を参照しながら説明する。図３は、調歩同期式通信のデータフォーマットの概略図である。
本実施の形態では、調歩同期式通信のデータフォーマットが、図３に示すように、Ｌｏｗでアクティブとなるもので、シリアルデータでは、１ビットのスタートビット、７ビット又は８ビットの送信／受信データ、１ビットのパリティビット（パリティビットがない場合もある）、１ビット又は２ビットのストップビットがあり、非通信状態ではＨｉｇｈレベルのマーク状態となる。
尚、スタートビットからストップビットまでが通信データの１単位（キャラクタ又はフレーム）となる。
【００４４】
［３線シリアルインタフェースタイミング：図４］
次に、３線シリアルインタフェースタイミングについて図４を参照しながら説明する。図４は、３線シリアルインタフェースタイミング規定図である。
マイコン１３からシンセ装置２０に制御コマンド「＠ＳＥＲＦＲＱ」が入力されると、３線シリアルインタフェースエミュレーション結果を出力したのが図４である。
図４では、上から順に、クロック（ＳＣＬＫ）、データ（ＳＤＩ）、チップセレクト（ＳＣＳ）を示しており、ＳＣＳはＬｏｗでアクティブの例を示している。
【００４５】
［本システムの動作］
本システムでは、ＰＣ２からの制御コマンドによって治具基板１０のマイコン１３がシンセ装置２０を選択し、電源を供給するものであり、検査を行わせる制御コマンドについて、ＰＣ２は、特定識別情報を含む制御コマンド（＠有りの制御コマンド）をマイコン１３向けとし、特定識別情報を含まない制御コマンド（＠無しの制御コマンド）をシンセ装置２０向けとしてＵＳＢコマンドを出力し、ＵＳＢ−シリアル変換治具４がシリアル信号に変換して恒温槽１内の治具基板１０に出力すると、マイコン１３は＠有りの制御コマンドに基づき、シンセ装置２０の選択・電源供給、その他検査のための動作を行わせ、＠無しの制御コマンドは３ステートバッファ１４を介してシンセ装置２０に出力させる。
【００４６】
マイコン１３は、シンセ装置２０用の＠無し制御コマンドに対し、エコーバックを含む一切の応答データを返さず、逆にシンセ装置２０は、治具マイコン１３用の＠有り制御コマンドに対して、エコーバックを含む一切の応答データを返さないように制御する。
【００４７】
更に、マイコン１３からの応答コマンド（制御結果のデータ）とシンセ装置２０から３ステートバッファ１４を介して出力される検査結果のデータを負論理和回路１１で統合してＵＳＢ−シリアル変換治具４にシリアル通信で出力し、ＵＳＢ−シリアル変換治具４でシリアル信号をＵＳＢ信号に変換してＵＳＢハブ３を経由してＰＣ２に出力される。
このようにして、ＰＣ２は、恒温槽１内の治具基板１０に対して複数のシンセ装置２０を効率的に検査することができ、特に、調歩同期式シリアルインタフェース１ポートだけで容易に検査できる。
【００４８】
尚、請求項における電源電圧供給手段がＬＤＯ１５とＭＯＳスイッチ１６に、制御手段がマイコン１３に、統合手段が負論理和回路１１に、制御装置がＰＣ２に相当している。
【００４９】
［実施の形態の効果］
本システムよれば、ＰＣ２と治具基板との接続を、汎用的なインタフェースである調歩同期式シリアルインタフェース１ポートを用い、マイコン１３と複数のシンセ装置２０に対する制御コマンドを識別情報の有無によって区別し、更に複数のシンセ装置２０を選択的に検査可能とすることで、安価で簡易な構成によって検査システムを実現できる効果がある。
【産業上の利用可能性】
【００５０】
本発明は、汎用的なインタフェースを用いて容易に検査等を行うことができる自動検査システムに好適である。
【符号の説明】
【００５１】
１…恒温槽、  ２…ＰＣ、  ３…ＵＳＢハブ、  ４…ＵＳＢ−シリアル変換治具、  ５…電源、  ６…ＵＳＢ−ＧＰＩＢ  Ｉ／Ｆ、  ７…ＳＧ、  ８…スペアナ、  １０…治具基板、  １１…負論理和回路、  １３…マイコン、  １４…３ステートバッファ、  １５…ＬＤＯ、  １６…ＭＯＳスイッチ、  １７…ＲＦスイッチ、  ２０…シンセ装置
【図１】
2010261899.tif 000003
【図２】
2010261899.tif 000004
【図３】
2010261899.tif 000005
【図４】
2010261899.tif 000006